(57)【要約】【課題】変化点の検知をオンラインのもとで低廉に行うこと。【解決手段】変化点検知システム１において、変化点検知装置２は、測対象機器１０の状態を示すアナログ信号のデータをデジタル信号のデータに変換するＡＤ変換部２１と、前記デジタル信号のデータを高速フーリエ変換して測対象機器１０の最新の状態を示す最新グラフ画像データを作成する画像生成部２２と、前記最新グラフ画像データを携帯電話網５により変化点検知サーバ３に送信する無線通信部２３を備える。変化点検知サーバ３は、携帯電話網５を介して受信した前記最新グラフ画像データから測対象機器１０の最新の状態の特徴を示す最新スペクトル画像データを抽出する画像処理部３１と、前記最新スペクトル画像データと測対象機器１０の初期状態の特徴を示す初期スペクトル画像データとの比較に基づき測対象機器１０の変化点を検知する画像判定部３２を備える。【選択図】図１
2019053649.tif 000002
【特許請求の範囲】
【請求項１】
対象物の状態の変化点を検知する変化点検知サーバであって、
携帯電話網を介して受信した対象物の最新の状態を示す高速フーリエ変換により得られた最新グラフ画像データから当該最新の状態の特徴を示す最新スペクトル画像データを抽出する画像処理部と、
前記最新スペクトル画像データと前記対象物の初期状態の特徴を示す初期スペクトル画像データとの比較に基づき前記対象物の変化点を検知する画像判定部と
を備えたことを特徴とする変化点検知サーバ。
【請求項２】
前記最新スペクトル画像データと前記初期スペクトル画像データとを重畳表示させる画像表示部をさらに備えたことを特徴とする請求項１に記載の変化点検知サーバ。
【請求項３】
前記画像表示部は、前記変化点に基づく警報を前記重畳表示の画像に表示させることを特徴とする請求項２に記載の変化点検知サーバ。
【請求項４】
前記画像表示部は、前記警報が表示された前記重畳表示の画像をウェブページに添付することを特徴とする請求項３に記載の変化点検知サーバ。
【請求項５】
前記画像表示部は、前記警報に基づくメッセージ情報を出力することを特徴とする請求項３または４に記載の変化点検知サーバ。
【請求項６】
前記最新グラフ画像データを保存する保存部をさらに備えたことを特徴とする請求項１から５のいずれか１項に記載の変化点検知サーバ。
【請求項７】
対象物の状態の変化点を検知する変化点検知装置であって、
対象物の状態を示すアナログ信号のデータをデジタル信号のデータに変換する変換部と、
前記デジタル信号のデータを高速フーリエ変換して当該対象物の最新の状態を示す最新グラフ画像データを作成する画像生成部と、
前記最新グラフ画像データを携帯電話網により前記対象物の変化点を検知するサーバに送信する通信部と
を備えたことを特徴とする変化点検知装置。
【請求項８】
対象物の状態の変化点を検知する変化点検知システムであって、
請求項７に記載の変化点検知装置と請求項１から６のいずれか１項に記載の変化点検知サーバとを有することを特徴とする変化点検知システム。
【請求項９】
コンピュータを請求項１から６のいずれか１項に記載の変化点検知サーバとして機能させることを特徴とする変化点検知プログラム。
【請求項１０】
コンピュータを請求項７に記載の変換部と画像生成部とを備えた変化点検知装置として機能させることを特徴とする変化点検知プログラム。
【発明の詳細な説明】
【技術分野】
【０００１】
本発明は設備の変化点をオンラインで検知するための技術に関する。
【背景技術】
【０００２】
オンラインでの設備の変化点を検知するシステムとしては例えば以下の診断システムが知られている。
【０００３】
特許文献１の診断システムは、ローカルネットワーク内で、診断用端末と試験結果閲覧用端末とデータ解析端末とデータベースとを接続して工場設備の診断記録の共有を図っている。
【０００４】
特許文献２の診断システムは、設備診断に使用する波形等の情報量の多いデータをサーバ等に送信せずに診断を行うための技術である。すなわち、ローカルネットワーク内に設置された端末で波形データの収集や診断を行い、診断結果からさらに詳細な診断が必要であると判断した場合、インターネット経由でサーバに問合せ、診断に必要なプログラムをサーバからダウンロードしながら診断を行う。
【先行技術文献】
【特許文献】
【０００５】
【特許文献１】特開２００４−３４１６２５号公報
【特許文献２】特開２０１０−２７０７６号公報
【発明の概要】
【発明が解決しようとする課題】
【０００６】
特許文献１の診断システムは、ローカルネットワーク内に設備診断に使用するデータを保存する構成となっているので、データを閲覧するためにローカルネットワークに接続する必要がある。そのため、本システムは、外部からインターネット経由で診断データを閲覧することができないため、異常発生時の対応が遅れる。
【０００７】
特許文献２の診断システムは、インターネットを介して設備監視用の端末とサーバが相互に通信を行いながら診断を行っているが、診断結果は設備監視用の端末が一括で保存している。そのため、外部から診断結果を閲覧することができないため、特許文献１のシステムと同様に異常発生時の対応が遅れる。
【０００８】
また、一般に振動や音響の波形データに基づき診断を行う場合、波形データに対して高速フーリエ変換（以下、ＦＦＴ）を行い、正常時のＦＦＴ波形と診断実行時のＦＦＴ波形を比較して差異を確認し、正常時では発生していなかった周波数の波形が発生していれば異常と判定する。異常発生時に即座に診断結果の確認を行えるようにするため、診断結果はインターネットで接続可能なサーバ等に保存しておくことが望ましい。
【０００９】
しかしながら、サーバでＦＦＴと診断を行う場合、波形データが必要となるが、波形データはデータサイズが大きいため、インターネットを介して波形データを送受信すると通信量が多くなる。また、既設の計測対象において設備診断システムが導入された際、新規に有線ネットワークを配線することが設置環境によっては困難な場合があるので、携帯電話網を使用した無線通信システムを使用することが望ましい。この場合、容量の大きい波形データをネットワークで送信する場合、通信速度が遅いため通信時間が長くなる。また、通信時間の短縮を図ると、回線使用料の高額化を招く。
【００１０】
本発明は、上記の事情に鑑み、対象物の変化点の検知をオンラインのもとで低廉に行うことを課題とする。
【課題を解決するための手段】
【００１１】
そこで、本発明の一態様は、対象物の状態の変化点を検知する変化点検知サーバであって、携帯電話網を介して受信した対象物の最新の状態を示す高速フーリエ変換により得られた最新グラフ画像データから当該最新の状態の特徴を示す最新スペクトル画像データを抽出する画像処理部と、前記最新スペクトル画像データと前記対象物の初期状態の特徴を示す初期スペクトル画像データとの比較に基づき前記対象物の変化点を検知する画像判定部とを備える。
【００１２】
本発明の一態様は、前記変化点検知サーバにおいて、前記最新スペクトル画像データと前記初期スペクトル画像データとを重畳表示させる画像表示部をさらに備える。
【００１３】
本発明の一態様は、前記変化点検知サーバにおいて、前記画像表示部は、前記変化点に基づく警報を前記重畳表示の画像に表示させる。
【００１４】
本発明の一態様は、前記変化点検知サーバにおいて、前記画像表示部は、前記警報が表示された前記重畳表示の画像をウェブページに添付する。
【００１５】
本発明の一態様は、前記変化点検知サーバにおいて、前記画像表示部は、前記警報に基づくメッセージ情報を出力する。
【００１６】
本発明の一態様は、前記変化点検知サーバにおいて、前記最新グラフ画像データを保存する保存部をさらに備える。
【００１７】
本発明の一態様は、対象物の状態の変化点を検知する変化点検知装置であって、対象物の状態を示すアナログ信号のデータをデジタル信号のデータに変換する変換部と、前記デジタル信号のデータを高速フーリエ変換して当該対象物の最新の状態を示す最新グラフ画像データを作成する画像生成部と、前記最新グラフ画像データを携帯電話網により前記対象物の変化点を検知するサーバに送信する通信部とを備える。
【００１８】
本発明の一態様は、対象物の状態の変化点を検知する変化点検知システムであって、上記の変化点検知装置と上記の変化点検知サーバとを有する。
【００１９】
本発明は、コンピュータを上記の変化点検知サーバとして機能させる変化点検知プログラム、または、コンピュータを上記の変換部と画像生成部とを備えた変化点検知装置として機能させる変化点検知プログラムの態様とすることもできる。
【発明の効果】
【００２０】
以上の本発明によれば、対象物の変化点の検知をオンラインのもとで低廉に行える。
【図面の簡単な説明】
【００２１】
【図１】本発明の実施形態における変化点検知システムのブロック構成図。
【図２】上記実施形態における画像作成の一例とその手順の説明図。
【図３】上記実施形態における警告表示の一例の説明図。
【発明を実施するための形態】
【００２２】
以下に図面を参照しながら本発明の実施形態について説明する。
【００２３】
［本実施形態の装置及びシステムの構成例］
図１に例示された本実施形態の変化点検知システム１は、対象物である測対象機器１０の状態の変化点を検知するための検知システムであって、変化点検知装置２と変化点検知サーバ３とを有する。
【００２４】
変化点検知装置２は、測対象機器１０の状態の変化点を検知するための変化点検知装置であって、センサ部２０、ＡＤ変換部２１、画像生成部２２及び無線通信部２３を備える。
【００２５】
センサ部２０は、測対象機器１０の状態を検出して当該状態を示す波形信号を出力する。センサ部２０としては、加速度センサ、音響センサ等の高速な波形データをアナログ信号のデータで出力できる周知のセンサが適用される。
【００２６】
ＡＤ変換部２１は、測対象機器１０の状態を示すアナログ信号のデータをＡＤ変換によりデジタル信号のデータに変換する。
【００２７】
画像生成部２２は、前記デジタル信号のデータを高速フーリエ変換して測対象機器１０の最新の状態を示す最新グラフ画像データ３０２を作成する。
【００２８】
無線通信部２３は、最新グラフ画像データ３０２を携帯電話網５により変化点検知サーバ３に送信する。
【００２９】
変化点検知サーバ３は、測対象機器１０の状態の変化点を検知する。変化点検知サーバ３は、コンピュータのハードウェア資源とソフトウェア資源との協働により、画像ファイル保存部３０，画像処理部３１，画像判定部３２，画像表示部３３を実装する。
【００３０】
画像処理部３１は、携帯電話網５を介して受信した測対象機器１０の最新の状態を示す高速フーリエ変換により得られた最新グラフ画像データ３０２の画像解析により当該最新の状態の特徴を示す最新スペクトル画像データ３０４を抽出する（図２のＳ２）。同様に、初期グラフ画像データ３０１の画像解析により初期スペクトル画像データ３０３を抽出する。
【００３１】
また、画像処理部３１は、最新スペクトル画像データ３０４と初期スペクトル画像データ３０３を重畳表示させた合成スペクトル画像データ３０５を作成する（同図のＳ３）。さらに、比較グラフベース画像データ３００と合成スペクトル画像データ３０５を重畳表示させたグラフ比較画像データ３０６を作成する（同図のＳ５）。
【００３２】
画像判定部３２は、最新スペクトル画像データ３０４と測対象機器１０の初期状態の特徴を示す初期スペクトル画像データ３０３との比較に基づき測対象機器１０の変化点を検知する。初期スペクトル画像データ３０３は、予め、測対象機器１０の正常な状態のアナログ信号のデータを高速フーリエ変換して得られた測対象機器１０の正常な状態を示す初期グラフ画像データ３０１から抽出されたものである。
【００３３】
画像表示部３３は、最新スペクトル画像データ３０４と初期スペクトル画像データ３０３とを重畳表示させる。また、前記変化点に基づく警報を前記重畳表示の画像に表示させる。さらに、前記警報が表示された前記重畳表示の画像をウェブページに添付する。また、前記警報に基づくメッセージ情報を出力する。
【００３４】
画像ファイル保存部３０は、初期グラフ画像データ３０１、最新グラフ画像データ３０２を保存する。
【００３５】
［本実施形態の画像処理の手順］
図１，２を参照しながら本実施形態の画像処理の手順Ｓ１〜Ｓ５について説明する。
【００３６】
Ｓ１：ＡＤ変換部２１はセンサ部２０から入力された測対象機器１０の最新の状態を示すアナログ信号のデータをデジタル信号のデータに変換する。
次いで、画像生成部２２は、前記デジタル信号のデータを高速フーリエ変換して測対象機器１０の最新の状態を示す最新グラフ画像データ３０２を作成する。最新グラフ画像データ３０２は、データサイズを極力少なくするために例えばJPEGまたはPDFのファイル形式で作成される。初期グラフ画像データ３０１も同様のファイル形式で作成される。最新グラフ画像データ３０２は無線通信部２３により携帯電話網５を介して変化点検知サーバ３に送信される。変化点検知サーバ３に供された最新グラフ画像データ３０２は画像ファイル保存部３０に保存される。
【００３７】
Ｓ２：画像処理部３１は、画像ファイル保存部３０から引き出した最新グラフ画像データ３０２の画像解析により最新グラフ画像データ３０２のグラフラインを抜き出して最新スペクトル画像データ３０４として抽出する。
【００３８】
同様に、画像ファイル保存部３０から引き出された初期グラフ画像データ３０１が画像処理部３１による画像解析により初期グラフ画像データ３０１のグラフラインが抜き出されて初期スペクトル画像データ３０３として抽出される。
【００３９】
Ｓ３：画像処理部３１は、最新スペクトル画像データ３０４と初期スペクトル画像データ３０３との合成処理により最新スペクトル画像データ３０４と初期スペクトル画像データ３０３を重畳表示させた合成スペクトル画像データ３０５を作成する。
【００４０】
Ｓ４：画像処理部３１は、画像ファイル保存部３０から比較グラフベース画像データ３００を引き出す。比較グラフベース画像データ３００は、最新スペクトル画像データ３０４と初期スペクトル画像データ３０３の比較に基づく警報の閾値ラインを示す画像データであり、予め作成されて画像ファイル保存部３０に保存されたものである。
【００４１】
Ｓ５：画像処理部３１は、比較グラフベース画像データ３００と合成スペクトル画像データ３０５との合成処理により、比較グラフベース画像データ３００と合成スペクトル画像データ３０５を重畳表示させたグラフ比較画像データ３０６を作成する。
【００４２】
［本実施形態の画像判定例及び判定結果表示例］
画像判定部３２は、最新スペクトル画像データ３０４と初期スペクトル画像データ３０３との比較に基づき測対象機器１０の変化点を検知する。さらに、画像処理部３１から供されたグラフ比較画像データ３０６に基づき当該変化点に基づく警報を出力する。具体的には、最新スペクトル画像データ３０４と初期スペクトル画像データ３０３との比較を行い、初期スペクトル画像データ３０３に現れなかったグラフラインがグラフ比較画像データ３０６の閾値ラインを越える場合、「変化点検知」の警報を出力する。例えば、「閾値を越えた周波数帯が存在する」旨の警報を出力する。
【００４３】
そして、画像表示部３３は、図３に例示したように、グラフ比較画像データ３０６に前記変化点に基づく警報「閾値を超過した周波数があります」を添付して成る画像３０７を出力表示させる。画像３０７は、その閲覧部４の一態様として利用者の端末（パーソナルコンピュータや携帯情報端末等）の表示部に出力表示される前記利用者がアクセスするＷｅｂブラウザのウェブページに添付された状態で表示される。
【００４４】
また、前記警報はそのメッセージ情報の一態様として図３に例示された電子メール３０８が前記利用者の端末に送信される。電子メール３０８はグラフ比較画像データ３０６が添付ファイルとして添付された内容となっている。
【００４５】
［本実施形態の効果］
以上の変化点検知システム１によれば、測対象機器１０の状態を示すアナログ信号のデータがデジタル信号のデータに変換され、さらに、このデジタル信号のデータが高速フーリエ変換され、さらに、グラフ画像データに変換することで、当該状態を示すデータが大幅に小容量化される。したがって、従来のような大容量の数値データではなく、小容量の画像データが変化点検知サーバ３に無線送信されることにより低速且つ安価な回線でも状態監視の対象物である測対象機器１０の状態の変化点の検知が行える。よって、対象物の変化点の検知をオンラインのもとで低廉に行える。
【００４６】
特に、本実施形態において、利用者はインターネット等のネットワークを介して対象物の状態の診断結果を閲覧でき、また、電子メールにより当該状態に基づく警報を受信して当該診断結果を閲覧できるので、対象物の異常に即座に対応できる。また、本実施形態の診断結果として出力される比較グラフベース画像データ３００においては最新スペクトル画像データ３０４と初期スペクトル画像データ３０３とが対比された状態で表示されるので対象物である測対象機器１０の状態の変化点の特定が可能となる。
【００４７】
また、データ処理量の大きい高速フーリエ変換が対象物側の末端の変化点検知装置２にて実行されることにより、複数の変化点検知装置２が使用される際に演算負荷を分散できるので、変化点検知サーバ３の演算負担を軽減できる。
【００４８】
［本発明の他の態様］
本発明の他の態様としては、変化点検知装置２、変化点検知サーバ３のいずれかとしてコンピュータを機能させる変化点検知プログラムが挙げられる。この変化点検知プログラムはコンピュータが読み取り可能な周知の記録媒体またはインターネット等のネットワークを介して提供できる。
【００４９】
本発明は、以上の実施形態に限定されるものではなく、本発明の特許請求の範囲内で様々な態様で実施が可能である。
【符号の説明】
【００５０】
１…変化点検知システム
１０…測対象機器（対象物）
２…変化点検知装置、２１…ＡＤ変換部（変換部）、２２…画像生成部、２３…無線通信部（通信部）
３…変化点検知サーバ、３０…画像ファイル保存部（保存部）、３１…画像処理部、３２…画像判定部、３３…画像表示部
４…閲覧部
【図１】
2019053649.tif 000003
【図２】
2019053649.tif 000004
【図３】
2019053649.tif 000005